(57)【要約】【課題】通気性が良好であり、かつ、フィット性に優れる立体ギャザーを形成する。【解決手段】使用面側に位置する透液性シート３０を通る体液を吸収性要素で吸収する吸収性物品において、立体用のギャザーシート６２と弾性伸縮部材６３とを有する、立体ギャザー６０が使用面側に設けられ、前記ギャザーシート６２は可撓性で、かつ通気性であり、前記立体ギャザー６０の幅方向についての起立領域の中央部と、これと幅方向に離間する左右部に、前記弾性伸縮部材６３ｉ、６３ｃ、６３ｏが伸長状態で前記ギャザーシート６２に固定されており、前記ギャザーシート６２は、前記起立領域の少なくとも前記左部と前記右部との間が一重のシートである。【選択図】図８
2015173871.tif 000002
【特許請求の範囲】
【請求項１】
使用面側に位置する透液性シートを通る体液を吸収性要素で吸収する吸収性物品において、
立体用のギャザーシートと弾性伸縮部材とを有する立体ギャザーが使用面側に形成され、
前記ギャザーシートは可撓性で、かつ通気性であり、
前記立体ギャザーの幅方向についての起立領域の中央部と、これと幅方向に離間する左右部に、前記弾性伸縮部材が伸長状態で前記ギャザーシートに固定されている、
ことを特徴とする吸収性物品。
【請求項２】
前記ギャザーシートに対する前記弾性伸縮部材の固定位置は、前記立体ギャザーの幅方向についての起立領域の中央部と、これと幅方向に離間する左部及び右部の３箇所のみである請求項１記載の吸収性物品。
【請求項３】
前記ギャザーシートは、前記起立領域の少なくとも前記左部と前記右部との間が一重のシートである請求項１または２記載の吸収性物品。
【請求項４】
前記ギャザーシートの幅方向全体が一重のシートで形成されている請求項１または２記載の吸収性物品。
【請求項５】
前記ギャザーシートに対して前記弾性伸縮部材が接合される外周面範囲が、前記ギャザーシートとの対向面を含む、前記弾性伸縮部材の断面の１／２以上にわたる外周面である請求項１〜４のいずれか１項に記載の吸収性物品。
【請求項６】
前記起立領域の中央部及び左右部の少なくとも一つの部位において、前記弾性伸縮部材の複数本が幅方向に相互に近接状態で位置し、前記ギャザーシートに固定されている１〜５のいずれか１項記載の吸収性物品。
【請求項７】
前記吸収性物品は使い捨ておむつであって、その使い捨ておむつの両側に前記立体ギャザーが形成され、各ギャザーシートは、着用者の股間部から脚の付け根を通り脚の内側に渡る領域に位置するように形成されている１〜５のいずれか１項に記載の吸収性物品。
【請求項８】
前記吸収性物品は使い捨ておむつであって、その使い捨ておむつの両側に前記立体ギャザーが形成され、
各立体ギャザーの前後端部における、前記弾性伸縮部材の前記ギャザーシートへの固定位置は、製品の幅方向にずれている１〜５のいずれか１項に記載の吸収性物品。
【請求項９】
股間部、脚の付け根及び脚の内側に対応する弾性伸縮部材の伸長率の大きさが、
股間部＞脚の付け根＞脚の内側
の関係にある請求項７または８記載の吸収性物品。
【請求項１０】
前記吸収性物品は使い捨ておむつであって、その使い捨ておむつの腹側及び背側のうち少なくとも背側に、前記立体ギャザーが形成されている請求項１〜９のいずれか１項に記載の吸収性物品。
【発明の詳細な説明】
【技術分野】
【０００１】
本発明は、使い捨ておむつ、これと組み合せて使用するパッド、生理用ナプキンを含む吸収性物品に関するものである。
【背景技術】
【０００２】
たとえば、この種の吸収性物品においては、体液（軟便、尿、経血など）の移動を阻止し、その漏れを防止するために、いわゆる立体ギャザーを形成することが汎用的に行われている。
【０００３】
この種の立体ギャザーの多くは、平板状の壁様に形成され、その壁の先端に設けられた弾性伸縮部材によって着用者の肌に接触するようにしてある。
【０００４】
しかるに、この壁様立体ギャザーでは、立体ギャザーの遠位縁が、着用者の肌に線状に接触するので、感触に違和感を抱く着用者も存在する。
【０００５】
そこで、近年では、立体ギャザーの起立性の改善及びフィット性の改善を目的に、特許文献１のように、生理用ナプキンの両サイドに、横断面が円形ドーム状に形成した立体ギャザーが開発されている。
また、特許文献２のように、使い捨ておむつの前後方向漏れ防止を高めるために、横断面逆三角形状に形成した立体ギャザーが開発されている。
【先行技術文献】
【特許文献】
【０００６】
【特許文献１】特許第５１２９５２１号（特開２００９−６０６５号）公報
【特許文献２】特許第５０３０６０９号（特開２００８−１８８０４９号）公報
【発明の概要】
【発明が解決しようとする課題】
【０００７】
各先行技術では、立体ギャザーでは、肌と擦れる面積が増えてしまうため、カブレ等のトラブルの原因となる。
【０００８】
より具体的には、特許文献１のものは、立体ギャザーは肌面とギャザー面が面で接するためフィット性に優れているものの、着用者の肌面と面で接することで擦れる面積が多くなり、カブレ等のトラブルを原因となる可能性がある。
また、伸縮部材である糸ゴムをギャザーシートで挟み込んでいる（二重シートとしている）ため、通気性が低下し、吸収物品内部がムレてしまい、トラブルの原因となる可能性がある。
【０００９】
特許文献２のものは、ウエスト周りのモレを改善する場合、肌面とウエスト面が面で接するためフィット性に優れ、特許文献１のように、シートを二重に折り込んでいないため通気性に優れる利点はある。
しかし、立体ギャザーが使い捨ておむつの脚周り用のものであると、立体ギャザーが接触する箇所は、脚周りの付け根周辺でありウエストのように平らな平面ではないため、着用時に、本来の立体ギャザーの目的形状を維持することができずフィット性が高いとは言えないものである。
【００１０】
そこで、本発明の主たる課題は、通気性が良好であり、かつ、フィット性に優れる立体ギャザーを有する吸収性物品を提供することにある。
【課題を解決するための手段】
【００１１】
上記課題を解決した本発明は次記のとおりである。
＜請求項１記載の発明＞
使用面側に位置する透液性シートを通る体液を吸収性要素で吸収する吸収性物品において、
立体用のギャザーシートと弾性伸縮部材とを有する立体ギャザーが使用面側に形成され、
前記ギャザーシートは可撓性で、かつ通気性であり、
前記立体ギャザーの幅方向についての起立領域の中央部と、これと幅方向に離間する左右部に、前記弾性伸縮部材が伸長状態で前記ギャザーシートに固定されている、
ことを特徴とする吸収性物品。
【００１２】
＜請求項２記載の発明＞
前記ギャザーシートに対する前記弾性伸縮部材の固定位置は、前記立体ギャザーの幅方向についての起立領域の中央部と、これと幅方向に離間する左部及び右部の３箇所のみである請求項１記載の吸収性物品。
【００１３】
（作用効果）
請求項１または請求項２に係る発明では、立体ギャザーの幅方向についての起立領域の中央部と、これと幅方向に離間する左部及び右部に、より好ましくは、中央部と、これと幅方向に離間する左部及び右部に、弾性伸縮部材が伸長状態でギャザーシートに固定されている。
したがって、その固定箇所がピークになり、好ましい態様では３箇所のピークにより、着用者の肌と接触するようになる。
その結果、ギャザーシートが広い幅面積で着用者の肌に接するのではなく、各ピークを通るほぼ平行に走る稜線が着用者の肌に接するために、接触部位としては小さくカブレ等が防止される利点をもたらす。
他方、注目すべきは、ほぼ平行に走る稜線で立体ギャザーが肌と接触するので、幅方向の位置ズレが少なく、立体ギャザーが伏倒したり、反り返る、あるいは断面形状が変化するなどの問題を抑制でき、着用者へのフィット性に優れる点である。
【００１４】
＜請求項３記載の発明＞
前記ギャザーシートは、前記起立領域の少なくとも前記左部と前記右部との間が一重のシートである請求項１または２記載の吸収性物品。
【００１５】
（作用効果）
通気性のギャザーシートは、起立領域の少なくとも左部と右部との間が一重のシートであるのが好ましい。二重シートの場合に比較して良好な通気性をもたらし、ムレ防止効果が高いものとなる。
【００１６】
＜請求項４記載の発明＞
前記ギャザーシートの幅方向全体が一重のシートで形成されている請求項１または２記載の吸収性物品。
【００１７】
（作用効果）
ギャザーシートの幅方向全体が一重のシートで形成されていてもよい。したがって、本発明は、立体ギャザーの基部側は、二重シート部分にすることにより、撥液性を高める、不透液性にする、又は撓み性を小さくし立体ギャザーの横断面形状保持性を高める形態も含むのである。
【００１８】
＜請求項５記載の発明＞
前記ギャザーシートに対して前記弾性伸縮部材が接合される外周面範囲が、前記ギャザーシートとの対向面を含む、前記弾性伸縮部材の断面の１／２以上にわたる外周面である請求項１〜４のいずれか１項に記載の吸収性物品。
【００１９】
（作用効果）
ギャザーシートに対して弾性伸縮部材が接合される外周面範囲が、狭いと弾性伸縮部材がギャザーシートから剥がれ易いとともに、ギャザーシートが、弾性伸縮部材の固定（接合）位置周囲において、たとえば図８のような形状を保持し難くなる。
これに対し、ギャザーシートに対して弾性伸縮部材が接合される外周面範囲が、ギャザーシートとの対向面を含む、弾性伸縮部材の断面の１／２以上にわたる外周面であると、弾性伸縮部材がギャザーシートから剥がれ難いとともに、図８のような形状保持性が良好である。
【００２０】
＜請求項６記載の発明＞
前記起立領域の中央部及び左右部の少なくとも一つの部位において、前記弾性伸縮部材の複数本が幅方向に相互に近接状態で位置し、前記ギャザーシートに固定されている１〜５のいずれか１項記載の吸収性物品。
【００２１】
（作用効果）
起立領域の中央部、左部及び右部に、１本の弾性伸縮部材を設けるほか、それらの少なくとも一つの部位において、弾性伸縮部材の複数本が幅方向に相互に近接状態で位置していても、請求項１の作用効果と同様な作用効果を奏する。
【００２２】
＜請求項７記載の発明＞
前記吸収性物品は使い捨ておむつであって、その使い捨ておむつの両側に前記立体ギャザーが形成され、各ギャザーシートは、着用者の股間部から脚の付け根を通り脚の内側に渡る領域に位置するように形成されている１〜５のいずれか１項に記載の吸収性物品。
【００２３】
（作用効果）
本発明は、生理用ナプキンなどにおいても適用できるが、使い捨ておむつである場合、特に好適である。すなわち、着用者の股間部から脚の付け根を通り脚の内側に渡る領域に位置するとき、立体ギャザーの右部が股間部に、中央部が脚の付け根部分に、左部が着用者の脚の内側部分に対向し、着用者の肌に安定した位置で接触し、フィット性が良好となるのである。
【００２４】
＜請求項８記載の発明＞
前記吸収性物品は使い捨ておむつであって、その使い捨ておむつの両側に前記立体ギャザーが形成され、
各立体ギャザーの前後端部における、前記弾性伸縮部材の前記ギャザーシートへの固定位置は、製品の幅方向にずれている１〜５のいずれか１項に記載の吸収性物品。
【００２５】
（作用効果）
各立体ギャザーの前後端部における、弾性伸縮部材のギャザーシートへの固定位置は、製品の長手方向中間において、たとえば図８のように、股間部、脚の付け根及び脚の内側に対向させる場合、製品の幅方向にずれている、すなわち図７又は図９のように、その対応する位置関係でずらしているのが、たとえば図８のような形状保持のための好ましい態様である。
【００２６】
＜請求項９記載の発明＞
股間部、脚の付け根及び脚の内側に対応する弾性伸縮部材の伸長率の大きさが、
股間部＞脚の付け根＞脚の内側
の関係にある請求項７または８記載の吸収性物品。
【００２７】
（作用効果）
上記の伸長率の関係にあると、フィット性が良好であることが見出された。
【００２８】
＜請求項１０記載の発明＞
前記吸収性物品は使い捨ておむつであって、その使い捨ておむつの腹側及び背側のうち少なくとも背側に、前記立体ギャザーが形成されている請求項１〜９のいずれか１項に記載の吸収性物品。
【００２９】
（作用効果）
本発明は生理用ナプキンなどにおいても適用できるが、使い捨ておむつにおける前後漏れ防止用の立体ギャザーに適用することもできる。
【発明の効果】
【００３０】
以上のとおり、本発明によれば、通気性が良好であり、かつ、フィット性に優れる立体ギャザーを有する吸収性物品を提供することができる。
【図面の簡単な説明】
【００３１】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の長手方向中央における横断面図である。
【図４】図１の長手方向背側端部における横断面図である。
【図５】図１の５−５線断面図である。
【図６】図１の６−６線断面図である。
【図７】図１の７−７線断面図である。
【図８】本発明例の装着状態断面図である。
【図９】立体ギャザーの他の固定態様の長手方向中央断面図である。。
【図１０】立体ギャザーの他の固定態様の長手方向端部の断面図である。。
【図１１】立体ギャザーの構成例の説明図である。
【図１２】立体ギャザーの他の例の断面図である。
【図１３】立体ギャザーの別の例の断面図である。
【図１４】ギャザーシートへの弾性伸縮部材の固定例の断面図である。
【発明を実施するための形態】
【００３２】
以下、本発明の実施形態について添付図面を参照しつつ説明する。
図１〜図７はテープタイプ使い捨ておむつの一例を示しており、断面図中の点模様部分はホットメルト接着剤の塗布部分を示している。
【００３３】
＜用語の説明＞
本発明における、用語「前後方向（縦方向）」とは腹側（前側）と背側（後側）を結ぶ方向を意味し、「幅方向」とは前後方向と直交する方向（左右方向）を意味し、「使用面」は、体液を直接受けて、吸収性要素に受け渡す側をいう。
また、用語「伸長率」は自然長を１００％としたときの値を意味する。
「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【００３４】
本発明は、使い捨ておむつに好適に適用できるが、その使い捨ておむつとしてテープタイプ使い捨ておむつであっても、いわゆるパンツ型使い捨ておむつであってもよい。
【００３５】
以下では、テープタイプ使い捨ておむつの例を挙示して本発明を説明するが、パンツ型使い捨ておむつや生理用ナプキンにおいても、同様の構造を採ることは以下の説明から判るであろう。
【００３６】
本発明例のテープタイプ使い捨ておむつでは、使用面側に位置する透液性シート３０を通る体液を吸収性要素５０で吸収するものである。
すなわち、製品の幅方向中央に沿って下腹部から股間部を通り臀部までを覆うように延在する部分であって、使用面側表面を形成する透液性トップシート３０と、裏面側に位置する液不透過性シート１１との間に吸収要素５０が介在する領域である吸収性本体部１０と、この吸収性本体部１０の前側及び後側にそれぞれ延出する部分であって、且つ吸収要素５０を有しない部分である腹側エンドフラップ部ＥＦ及び背側エンドフラップ部ＥＦとを有するものである。
【００３７】
また、このテープタイプ使い捨ておむつは、吸収性本体部１０の側縁よりも側方に延出する一対のサイドフラップ部ＳＦ，ＳＦを有しており、背側におけるサイドフラップ部ＳＦ，ＳＦにはファスニングテープ１３，１３がそれぞれ設けられている。
【００３８】
より詳細には、吸収性本体部１０ならびに各サイドフラップ部ＳＦ，ＳＦの外面全体が、製品の外形を定める外装バックシート１２により形成されている。特に、吸収性本体部１０においては、外装バックシート１２の内面側に液不透過性シート１１がホットメルト接着剤等の接着剤により固定され、さらにこの液不透過性シート１１の内面側に吸収要素５０、中間シート４０、および透液性トップシート３０がこの順に積層されている。透液性トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００３９】
さらに、この吸収性本体部１０の両側には、装着者の肌側に突出（起立）する側部立体ギャザー６０，６０が設けられており、この側部立体ギャザー６０，６０を形成するギャザーシート６２，６２が、トップシート３０の両側部上から各サイドフラップ部ＳＦ，ＳＦの内面までの範囲に固着されている。
【００４０】
以下、各部の素材および特徴部分について順に説明する。
（外装バックシート）
外装バックシート１２は吸収要素５０を支持し、着用者に装着するための部分である。外装バックシート１２は、両側部の前後方向中央部が括れた砂時計形状とされており、ここが着用者の脚を囲む部位となる。
【００４１】
外装バックシート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００４２】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００４３】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００４４】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４５】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
【００４６】
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００４７】
図示の形態の中間シート４０は、吸収要素５０の幅より短く中央に配置されているが、全幅にわたって設けてもよい。中間シート４０の前後方向長さは、おむつの全長と同一でもよいし、吸収要素５０の長さと同一でもよいし、液を受け入れる領域を中心にした短い長さ範囲内であってもよい。
【００４８】
（立体ギャザー）
トップシート３０上を伝わって横方向に移動する尿や軟便を阻止し、横漏れを防止するために、製品の両側に、使用面側に突出（起立）する側部立体ギャザー６０、６０を設けるのは好ましい。
【００４９】
この側部立体ギャザー６０は、実質的に幅方向に連続するギャザーシート６２と、このギャザーシート６２に前後方向に沿って伸長状態で固定された弾性伸縮部材６３とにより構成されている。このギャザーシート６２としては撥水性でかつ通気性の不織布を用いることができ、また弾性伸縮部材６３としては糸ゴム等を用いることができる。弾性伸縮部材は、図１及び図２に示すように各複数本設ける他、各１本設けることができる。
【００５０】
ギャザーシート６２の内面は、トップシート３０の側部上に幅方向の固着始端を有し、この固着始端から幅方向外側の部分は、液不透過性シート１１の側部およびその幅方向外側に位置する外装バックシート１２の側部にホットメルト接着剤などにより固着されている。
【００５１】
脚周りにおいては、側部立体ギャザー６０の固着始端より幅方向内側は、製品前後方向両端部ではトップシート３０上に固定されているものの、その間の部分は非固定の自由部分であり、この自由部分が弾性伸縮部材６３の収縮力により起立するようになる。おむつの、装着時には、おむつが舟形に体に装着されるので、そして弾性伸縮部材６３の収縮力が作用するので、弾性伸縮部材６３の収縮力により側部立体ギャザー６０が起立して脚周りに密着する。その結果、脚周りからのいわゆる横漏れが防止される。
【００５２】
（平面ギャザー）
各サイドフラップ部ＳＦ，ＳＦには、ギャザーシート６２の固着部分のうち固着始端近傍の幅方向外側において、ギャザーシート６２と液不透過性シート１１との間に、糸ゴム等からなる脚周り弾性伸縮部材６４が前後方向に沿って伸長された状態で固定されており、これにより各サイドフラップ部ＳＦ，ＳＦの脚周り部分が平面ギャザーとして構成されている。脚周り弾性伸縮部材６４はサイドフラップ部ＳＦにおける液不透過性シート１１と外装バックシート１２との間に配置することもできる。脚周り弾性伸縮部材６４は、図示例のように各側で複数本設ける他、各側に１本のみ設けることもできる。
【００５３】
（吸収要素）
吸収要素５０は、尿や軟便などの液を吸収保持する部分である。吸収要素５０は、フラッフパルプを主体とする吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００５４】
（吸収体）
吸収体５６は、フラッフパルプを主体とするほか、繊維の集合体により形成することもできる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００５５】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００５６】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
【００５７】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５８】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５９】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００６０】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００６１】
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００６２】
（ファスニングテープ）
図１及び図２に示されるように、ファスニングテープ１３は、おむつの側部に固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する係止部１３Ａとを有し、この係止部１３Ａより先端側が摘み部とされたものである。ファスニングテープ１３のテープ取付部１３Ｃは、サイドフラップ部における内側層をなすギャザーシート６２及び外側層をなす外装バックシート１２間に挟まれ、かつホットメルト接着剤により両シート６２，１２に接着されている。また、係止部１３Ａはシート基材に接着剤により剥離不能に接合されている。
【００６３】
乳幼児用おむつにおいては、テープ取付部１３Ｃの寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、テープ本体部１３Ｂの寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の取付部間の張力が広範囲に作用するため、好ましい。
【００６４】
係止部１３Ａとしては、メカニカルファスナー（面ファスナー）のフック材（雄材）が好適である。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ１３の係止部として粘着材層を設けることもできる。
【００６５】
また、テープ取付部からテープ本体部までを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００６６】
おむつの装着に際しては、背側のサイドフラップ部ＳＦを腹側のサイドフラップ部ＳＦの外側に重ねた状態で、ファスニングテープを腹側Ｆ外面の適所に係止する。ファスニングテープ１３の係止箇所の位置及び寸法は任意に定めることができる。乳幼児用おむつにおいては、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
【００６７】
ファスニングテープ１３は、背側のエンドフラップ部ＥＦと吸収要素５０の境界線上にファスニングテープ１３のテープ取付部１３Ｃが重なるように取り付けられていると、おむつ装着時に左右のファスニングテープ１３の取り付け部分間に働く張力により、吸収要素５０の背側端部がしっかりと体に押し当てられるため、好ましい。また、ファスニングテープ１３の取り付け部分が、おむつの背側端部（後端部）と離れすぎていると、おむつ装着時に左右のファスニングテープ１３のテープ取付部１３Ｃ間に働く張力がおむつの背側端部にまで及ばないため、おむつの背側端部と身体表面との間に隙間が生じやすい。従って、背側のエンドフラップ部ＥＦの前後方向長さは、ファスニングテープ１３のテープ取付部１３Ｃの前後方向長さと同じか又は短いことが好ましい。
【００６８】
（ターゲットシート）
腹側Ｆにおけるファスニングテープ１３の係止箇所には、係止を容易にするためのターゲット有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。
また、腹側Ｆにおけるファスニングテープ１３の係止箇所が不織布からなる場合、例えば図示形態の外装バックシート１２が不織布からなる場合であって、ファスニングテープ１３の係止部がフック材１３Ａの場合には、ターゲットシート１２Ｔを省略し、フック材１３Ａを外装バックシート１２の不織布に絡ませて係止することもできる。この場合、ターゲットシート１２Ｔを外装バックシート１２と液不透過性シート１１との間に設けてもよい。
【００６９】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＥＦであり、後側の延出部分が背側エンドフラップ部ＥＦである。
【００７０】
背側エンドフラップＥＦの前後方向長さは、前述の理由によりファスニングテープ１３の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
【００７１】
腹側エンドフラップ部ＥＦ及び背側エンドフラップ部ＥＦの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００７２】
（背側伸縮ウエストシート）
図示形態では、両ファスニングテープ１３間に、幅方向に弾性伸縮する帯状の背側伸縮ウエストシート７０が設けられ、おむつ背側部におけるフィット性を向上させている。背側伸縮ウエストシート７０の両端部は両ファスニングテープ１３の取り付け部分と重なる部位まで延在されているのが好ましいが、幅方向中央側に離間していても良い。背側伸縮ウエストシート７０の前後方向寸法は、ファスニングテープ１３の取り付け部分の前後方向寸法と概ね同じにするのが適当であるが、±２０％程度の寸法差はあってもよい。また、図示のように背側伸縮ウエストシート７０が背側エンドフラップ部ＥＦと吸収要素５０の境界線と重なるように配置されていると、吸収要素５０の背側端部がしっかりと体に押し当てられるため、好ましい。背側伸縮ウエストシート７０は、ゴムシート等のシート状弾性部材を用いても良いが、通気性の観点から不織布や紙を用いるのが好ましい。この場合、伸縮不織布のような通気性を有するシート状弾性部材を用いることもできるが、図５に示すように、二枚の不織布等のシート基材７１をホットメルト接着剤等の接着剤により張り合わせるとともに、両シート基材７１間に細長状（糸状又は紐状等）等の弾性伸縮部材７２を幅方向に沿って伸長した状態で固定したものが好適に用いられる。この場合におけるシート基材７１としては、外装バックシート１２と同様のものを用いることができる。弾性伸縮部材７２の伸長率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
【００７３】
ウエストシート７０に用いる少なくとも一方のシート基材７１として、非高吸水性繊維に高吸水性繊維を混合した不織布を用いると、汗を吸収保持することができるため好ましい。特に、バックシート側に位置するシート基材７１により多くの高吸収性繊維を混合した不織布を用いると、肌とおむつ表面にある水分を肌から遠い位置にある高吸収性繊維で強固に保持することができるため好ましい。高吸水性繊維のみを用いると、吸水した高吸収性繊維が膨張してばらけた際にトップシートを介して肌に付着し易くなるおそれや、トップシートが裏側のシートに対してズレ動き易くなり、装着感を悪化させるおそれもあるが、上述のように、高吸水性繊維集合体を高吸水性繊維及び非高吸水性繊維を混合した不織布とすると、高吸水性繊維が吸水しても非高吸水性繊維との絡まり合いによって保持されるため、そのような問題点は発生し難くなる。高吸水性繊維は、公知の高吸水性樹脂（ＳＡＰ）を繊維の形態としたもの（高吸収性繊維、あるいは超吸収性繊維ともいわれ、市販のものとしては東洋紡株式会社製のランシール（登録商標）Ｆを例示することができる）を意味する。高吸水性繊維の繊維長は特に限定されず、短繊維であっても長繊維（連続繊維）であっても良い。高吸水性繊維を混合した不織布における繊維間の結合は、繊維の絡み合いによるものの他、繊維交差点の溶着によるものや、接着剤により接着するもの等、適宜採用することができる。非高吸水性繊維としては、通常の不織布に用いられる短繊維又は長繊維とすることができ、特に親水性繊維を用いるか親水化剤を塗布したものを用いると好ましい。繊維の具体例は外装バックシート１２やトップシート３０の項で述べたものを用いることができる。
【００７４】
ウエストシート７０は、たとえば基材不織布シート７１，７１間に伸縮部材７２、７２…を伸長状態で配置し、少なくとも一方の基材不織布シート７１，７１の端部への熱溶着により前記伸縮部材を切断し、その伸縮部材を収縮させたものである。
【００７５】
基材不織布シート７１，７１間の接合や、基材不織布シート７１に対する伸縮部材の固定のための手段は溶着を用いることもできるが、ホットメルト接着剤を好適に用いることができる。ホットメルト接着剤の塗布パターンとしては、一面に連続的に塗布するスロット塗布や、らせん状のスパイラル塗布、細い糸状に塗布しながら左右方向に空気で振動させるカーテン塗布などを用いることができるが、ホットメルト接着剤は通気性を低下させる要素であるため、塗布パターンはより塗布面積の少ないものが好ましく、従ってスロット塗布よりはカーテン塗布、カーテン塗布よりはスパイラル塗布が好ましい。基材不織布シート７１，７１間の接合は溶着により、基材不織布シート７１に対する伸縮部材の固定はホットメルト接着剤により行うこともできる。
【００７６】
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
【００７７】
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
【００７８】
背側伸縮ウエストシート７０は、図示形態では、液不透過性シート１１の幅方向両側ではギャザーシート６２と外装バックシート１２との間に挟まれ、且つ液不透過性シート１１と重なる部位では、液不透過性シート１１と吸収要素５０との間に挟まれるように設けられているが、液不透過性シート１１と外装バックシート１２との間に設けても良いし、外装バックシート１２の外面に設けても良く、またトップシート３０と吸収要素５０との間に設けてもよい。また、背側伸縮ウエストシート７０はトップシート３０の上に設けても良く、この場合、液不透過性シート１１の幅方向両側ではギャザーシート６２の上に設けても良い。また、外装バックシート１２を複数枚のシート基材を重ねて形成する場合には、背側伸縮ウエストシート７０全体を、外装バックシート１２のシート基材間に設けても良い。
【００７９】
（本発明の具体例）
さて、本発明は、立体ギャザーの構造に特徴を有する。以下、代表的な２つの実施の形態を示してさらに説明する。
【００８０】
＜第１の実施の形態＞
本発明の第１の実施の形態は、図３、その拡大図である図６、図７及び図８に示されている。
すなわち、使用面側に立体用のギャザーシート６２と弾性伸縮部材６３（６３ｉ、６３ｃ、６３ｏ）とを有する立体ギャザー６０が使用面側に形成され、
前記ギャザーシート６２は可撓性で、かつ通気性であり、
前記立体ギャザー６０の幅方向についての起立領域の中央部と、これと幅方向に離間する左部及び右部に、前記弾性伸縮部材６３ｉ、６３ｃ、６３ｏが伸長状態で前記ギャザーシート６２に固定されており、
かかる形態では、立体ギャザー６０の幅方向についての起立領域の中央部に弾性伸縮部材６３ｃが、図６基準で左部（外側）の弾性伸縮部材６３ｏが、右部（内側）の弾性伸縮部材６３ｉが、伸長状態でギャザーシート６２に固定されている。
したがって、その箇所がピークになり、着用者の肌と接触するようになる（図８参照）。
その結果、ギャザーシート６２が広い幅面積で着用者の肌に接するのではなく、各ピークを通るほぼ平行に走る稜線（図６の紙面を貫く方向の稜線）が着用者の肌に接するために、接触部位としては小さくカブレ等が防止される利点をもたらす。
さらに、通気性のギャザーシート６２は、起立領域の少なくとも左部と右部との間が一重のシートであるので、二重シートの場合に比較して良好な通気性をもたらし、ムレ防止効果が高いものとなる。
他方、注目すべきは、ほぼ平行に走る稜線で立体ギャザー６０が肌と接触するので、幅方向の位置ズレが少なく、立体ギャザー６０が内側に伏倒したり、外側に反り返る、あるいは断面形状が変化するなどの問題を抑制でき、着用者へのフィット性に優れる点である。
【００８１】
上記説明から推測されるように、ギャザーシート６２に対する弾性伸縮部材の固定位置は、立体ギャザー６２の幅方向についての起立領域の中央部と、これと幅方向に離間する左部及び右部の３箇所のみであるのが、肌への接触線を明確に定めるために望ましい。
たとえば、接触線を極端に言えば１０箇所にすると、肌への接触がほぼ面的なものとなり、体液の阻止効果の向上に有効でないとともに、弾性伸縮部材の数だけコスト高となる。本発明において、この観点などから接触箇所数を設定できるものである。
【００８２】
前記ギャザーシート６２は、前記起立領域の少なくとも前記左部と前記右部との間が一重のシートであるのが望ましい。
そこで、図示例では、前記ギャザーシート６２の幅方向全体が一重のシートで形成されているが、本発明は、図１２の例のように、立体ギャザー６０の基部側は、たとえばポリエチレンからなる撥液性又は不透液性のシート６３ａ，６３ｂにより、二重シート部分にすることにより、撥液性を高める、不透液性にする、又はシート６３ａ，６３ｂを補強材として、撓み性を小さくし立体ギャザー６０の横断面形状保持性を高める形態も含むのである。
【００８３】
起立領域の中央部及び左右部の少なくとも一つの部位において、弾性伸縮部材６３（６３ｉ、６３ｃ、６３ｏ）の複数本が幅方向に相互に近接状態で位置し、前記ギャザーシート６２に固定されている形態でもよい。
【００８４】
起立領域の中央部及び左右部に、１本の弾性伸縮部材６３（６３ｉ、６３ｃ、６３ｏ）を設けるほか、たとえば図１３に示すように、中央部部位において、２本の弾性伸縮部材６３ｃ，６３ｃが幅方向に相互に近接状態で位置していてもよい。この形態は、ある部位の肌への当接力を高めるためなどに効果的である。
【００８５】
本発明の吸収性物品として、生理用ナプキンなどにおいても適用できるが、使い捨ておむつであるときに、本発明の利点が顕著に表われる。すなわち、使い捨ておむつの両側に立体ギャザー６０が形成され、各立体ギャザー６は、着用状態を示す図８に現われているように、着用者の股間部Ｘから脚の付け根Ｙを通り脚の内側Ｚに渡る領域に位置するように形成されているのが望ましい。
【００８６】
かかる形態では、立体ギャザー６０の右部が股間部Ｘに、中央部が脚の付け根部分Ｙに、左部が着用者の脚の内側部分Ｚに対向し、着用者の肌に安定した位置で接触し、フィット性が良好となるのである。
【００８７】
弾性伸縮部材としては、いわゆる糸ゴムを好適に使用できるが、股間部Ｘ、脚の付け根Ｙ及び脚の内側Ｚに対応する弾性伸縮部材６３ｉ、６３ｃ、６３ｏの伸長率の大きさが、
股間部＞脚の付け根＞脚の内側
の関係にあるのが望ましい。
弾性伸縮部材７２として細長状（糸状又は紐状等）のものを用いる場合、太さ４２０〜１１２０ｄｔｅｘのものが好ましい。
【００８８】
上記の伸長率（自然長を１００％としたときの伸び）の関係にあると、フィット性が良好であることを確認している。逆に、弾性伸縮部材６３ｉ、６３ｃ、６３ｏの伸長率を同じにすると、弾性伸縮部材６３ｉの股間部Ｘへの当接が十分でないことが知見された。
【００８９】
本発明は生理用ナプキンなどにおいても適用できるが、使い捨ておむつにおける前後漏れ防止用の立体ギャザー（その構造は明らかであろうから図示を省略している）に適用することもできる。
もちろん、生理用ナプキンの立体ギャザーにも適用できる。
【００９０】
上記の立体ギャザー６０が、図６のように起立し、図８のように着用者の肌に当接させるために、ギャザーシート６２、弾性伸縮部材６３ｉ、６３ｃ、６３ｏを、適宜の固定形態を採ることができる。
【００９１】
簡易な方法として、図６〜図９に第１の固定態様を示した。すなわち、製品の長手方向中央部では、ギャザーシート６２の外側を、たとえばホットメルト接着剤８１により、液不透過性シート１１に固定するとともに、ギャザーシート６２の内側部分を反り返して、ホットメルト接着剤８２により、透液性トップシート３０に固定するものである。
【００９２】
他方で、製品の長手方向端部では、立体ギャザー６０を内側に伏倒させて固定する。すなわち、図７に示すように、ギャザーシート６２のギャザーシート６２の内側反り返し部分をホットメルト接着剤８２Ａにより弾性伸縮部材６３ｉ近くまで固定し、かつ、好ましくは、弾性伸縮部材６３ｉ、６３ｃ、６３を包む袋部分を、ホットメルト接着剤８４，８４，８４により固定する。さらに、ギャザーシート６２の外側は、ホットメルト接着剤８１，８３により固定する。
【００９３】
かかる第１の固定形態によれば、製品の長手方向の中間部が、製品の長手方向の湾形の変形により、弾性伸縮部材６３ｉ、６３ｃ、６３ｏの収縮力がギャザーシート６２に作用して、図８のように起立するであろうことは当業者であれば直ちに理解できるであろう。
【００９４】
他方、立体ギャザー６０は第２の固定態様で固定することもできる。すなわち、図９に製品の前後を平坦に伸ばした未起立状態の立体ギャザー６０を、図１０に製品の長手方向端部における固定形態を図１０に示した。
【００９５】
かかる第２の固定形態によっても、製品の長手方向の中間部が、製品の長手方向の湾形の変形により、弾性伸縮部材６３ｉ、６３ｃ、６３ｏの収縮力がギャザーシート６２に作用して、図８のように起立するであろうことは当業者であれば直ちに理解できるであろう。
【００９６】
立体ギャザーの形成には、たとえば図１１に示すように、弾性伸縮部材６３に対してギャザーシート６２を用意し、（ｂ）のように弾性伸縮部材６３を包むようにギャザーシート６２を折り返す。さらに、ギャザーシート６２を折り返して、他の弾性伸縮部材６３を包むようにギャザーシート６２を折り返す（（ｃ）（ｄ）。これを３本目の弾性伸縮部材６３についても行ない、（ｅ）のように立体ギャザー用の半製品ギャザーを作製できる。製造過程では、半製品ギャザーを、適宜の段階で他の吸収性物品要素に、たとえばホットメルト接着剤により固定すればよい。
【００９７】
本発明に係る弾性伸縮部材の代表例は糸ゴムである。前述のように、弾性伸縮部材６３ｉ、６３ｃ、６３ｏの伸長率を変えるほか、太さｄｔｅｘを変えることもできる。
図６の各部位の寸法は、使い捨ておむつの場合、着用者の体格に合わせて適宜選択できるが、次の関係にあることが好適である。
Ｌｉ≧Ｌｏ
Ｌｉ及びＬｏは２０ｍｍ以上
ｄｉ及びｄｏは８ｍｍ以上
弾性伸縮部材６３ｉの伸長率＝２４０〜２６０％
弾性伸縮部材６３ｃの伸長率＝２１０〜２３０％
弾性伸縮部材６３ｏの伸長率＝１９０〜２１０％
【００９８】
他方、図７及び図９に図示したように、各立体ギャザーの前後端部における、弾性伸縮部材６３ｉ、６３ｃ、６３ｏのギャザーシート６２への固定位置は、製品の幅方向にずれているのが望ましい
【００９９】
すなわち、本発明の特に使い捨ておむつへの適用例では、製品の長手方向中間において、たとえば図８のように、立体ギャザーを起立させるのが望ましい。
したがって、各立体ギャザーの前後端部における、６３ｉ、６３ｃ、６３ｏのギャザーシート６２への固定位置は、股間部、脚の付け根及び脚の内側に対向させて、製品の幅方向にずらしているのが、好ましい態様である。
【０１００】
一方、図１４に示すように、ギャザーシート６２に対して弾性伸縮部材が、たとえばホットメルト接着剤８４により接合される外周面範囲が、ギャザーシート６２との対向面を含む、前記弾性伸縮部材６３の断面の１／２以上にわたる外周面であるのが望ましい。
【０１０１】
ギャザーシート６２に対して弾性伸縮部材６３が接合される外周面範囲が、狭いと弾性伸縮部材がギャザーシート６２から剥がれ易いとともに、ギャザーシート６２が、弾性伸縮部材６３の固定（接合）位置周囲において、たとえば図８のような形状を保持し難くなる。図１４の形態であると、弾性伸縮部材６３がギャザーシート６２から剥がれ難いとともに、図８のような形状保持性が良好である。
【符号の説明】
【０１０２】
１１…液不透過性シート、１３…ファスニングテープ、３０…トップシート、４０…中間シート、５０…吸収要素、５６…吸収体、５８…包装シート、６０…（側部）立体ギャザー、６２…ギャザーシート、６３，６３ｉ、６３ｃ、６３ｏ…弾性伸縮部材、７０…ウエストシート、８１〜８４…ホットメルト接着剤。
【図１】
2015173871.tif 000003
【図２】
2015173871.tif 000004
【図３】
2015173871.tif 000005
【図４】
2015173871.tif 000006
【図５】
2015173871.tif 000007
【図６】
2015173871.tif 000008
【図７】
2015173871.tif 000009
【図８】
2015173871.tif 000010
【図９】
2015173871.tif 000011
【図１０】
2015173871.tif 000012
【図１１】
2015173871.tif 000013
【図１２】
2015173871.tif 000014
【図１３】
2015173871.tif 000015
【図１４】
2015173871.tif 000016